(57)【要約】      （修正有）【課題】排水栓装置について、昇降部の排水口内部への突出を減らし、装置に対する毛髪等の堆積等を防ぐとともに、清掃性を向上させた装置の提供を課題とする。【解決手段】昇降部１２は排水流路側の端部を頂部１４として、頂部１４から伝達部１０に向けて下向きに傾斜する傾斜部１３を備えている。昇降部１２が伝達部１０側へと後退すると、傾斜部１３と載置部２１が当接摺動することにより、弁体１５が傾斜部１３の勾配に沿って上昇する。昇降部１２が最も後退した時、弁体１５は昇降部１２の先端且つ昇降部１２の最も高い位置である頂部１４上に載置され、弁体１５の上昇状態が支持される。尚、昇降部１２が最も伝達部１０側に後退した状態にある時、昇降部１２の大部分は枝管部６内に配置されており、排水流路内には頂部１４のみが露出する。従って、排水流路の内面は略平滑となり、装置の清掃性を向上させることが可能となる。【選択図】図１
2019090267.tif 000002
【特許請求の範囲】
【請求項１】
内部に排水流路を形成する排水配管と、
槽体に形成された排水口の開閉を行う弁体と、
弁体の昇降操作を行う操作部と、
操作部に加えられた操作を排水口側へ伝達する伝達部と、
から成る排水栓装置であって、
伝達部は一端部において前記弁体を昇降させる昇降部を備え、
前記弁体は、外端が前記排水配管の内周面に沿って形成されるとともに、弁体の上昇時に昇降部に載置される載置部を備え、
前記昇降部は前記操作部の操作に基づいて排水配管の内壁から排水流路に向けて前進又は伝達部側に向けて後退し、
前記昇降部の後退時に載置部が昇降部に載置されて前記弁体が上昇するとともに、
昇降部が最も後退した状態において、
排水流路の内面が略平滑となることを特徴とする排水栓装置。
【請求項２】
前記弁体は伝達部に向けて下向きに傾斜する傾斜部を有し、
前記昇降部が操作部に加えられた操作に応じて、傾斜部が昇降部と当接摺動するとともに、当該摺動作用によって弁体を昇降させることを特徴とする請求項１に記載の排水栓装置。
【請求項３】
前記昇降部は伝達部に向けて下向きに傾斜する傾斜部を有し、
前記昇降部が操作部に加えられた操作に応じて、傾斜部が昇降部と当接摺動するとともに、当該摺動作用によって弁体を昇降させることを特徴とする請求項１に記載の排水栓装置。
【請求項４】
前記昇降部は、
前記排水配管の側面に形成された枝管部内に配置されるとともに、
前記操作部の操作に基づいて枝管部より排水流路に向けて前進した際には端部が排水流路に向けて突出し、
後退した際には前記昇降部端部を除く部分が前記枝管内に配置されることを特徴とする請求項１乃至請求項３のいずれか１つに記載の排水栓装置。
【請求項５】
前記昇降部は、
前記操作部の操作に基づいて略水平方向に進退することを特徴とする請求項１乃至請求項４のいずれか１つに記載の排水栓装置。
【請求項６】
前記昇降部は、
前記伝達部に対して回動可能に取り付けられており、
操作部の操作に基づいて回動可能であることを特徴とする請求項１乃至請求項５のいずれか１つに記載の排水栓装置。
【発明の詳細な説明】
【技術分野】
【０００１】
本発明は、洗面ボウルやシンク、浴槽等の槽体の底面に形成された排水口の開閉を行う弁体を遠隔的に操作する排水栓装置に関するものである。
【背景技術】
【０００２】
排水栓装置は、操作部に加えた操作を、伝達部を介して弁体へと伝達し、弁体が排水口を開閉する装置である。
従来の排水栓装置としては、伝達部が端部にレバー状の昇降部を有し、操作部の操作に伴い昇降部が変位することにより、昇降部上に載置された弁体が上昇又は下降する構造のものが知られている。しかし、当該従来の排水栓装置においては、弁体を取り外した際、昇降部が排水口内部に大きく突出した状態となってしまう。従って、当該突出した昇降部に排水中の毛髪等が堆積することから不衛生であるとともに、堆積した毛髪等による誤作動が生じていた。又、突出部分は使用者から視認可能であるため見栄えが悪く、又、当該突出部分の清掃は非常に困難であった。
【先行技術文献】
【特許文献】
【０００３】
【特許文献１】特開２０１５−１１３５５６号公報
【発明の概要】
【発明が解決しようとする課題】
【０００４】
本発明は上記問題に鑑み、昇降部の排水口内部への突出を減らし、排水栓装置に対する毛髪等の堆積等を防ぐとともに、意匠性や清掃性を向上させた装置の提供を課題とする。
【課題を解決するための手段】
【０００５】
請求項１に記載の本発明は、内部に排水流路を形成する排水配管と、
槽体に形成された排水口の開閉を行う弁体と、
弁体の昇降操作を行う操作部と、
操作部に加えられた操作を排水口側へ伝達する伝達部と、
から成る排水栓装置であって、
伝達部は一端部において前記弁体を昇降させる昇降部を備え、
前記弁体は、外端が前記排水配管の内周面に沿って形成されるとともに、弁体の上昇時に昇降部に載置される載置部を備え、
前記昇降部は前記操作部の操作に基づいて排水配管の内壁から排水流路に向けて前進又は伝達部側に向けて後退し、
前記昇降部の後退時に載置部が昇降部に載置されて前記弁体が上昇するとともに、
昇降部が最も後退した状態において、
排水流路の内面が略平滑となることを特徴とする排水栓装置である。
【０００６】
請求項２に記載の本発明は、前記弁体は伝達部に向けて下向きに傾斜する傾斜部を有し、
前記昇降部が操作部に加えられた操作に応じて、傾斜部が昇降部と当接摺動するとともに、当該摺動作用によって弁体を昇降させることを特徴とする請求項１に記載の排水栓装置である。
【０００７】
請求項３に記載の本発明は、前記昇降部は伝達部に向けて下向きに傾斜する傾斜部を有し、
前記昇降部が操作部に加えられた操作に応じて、傾斜部が昇降部と当接摺動するとともに、当該摺動作用によって弁体を昇降させることを特徴とする請求項１に記載の排水栓装置である。
【０００８】
請求項４に記載の本発明は、前記昇降部は、
前記排水配管の側面に形成された枝管部内に配置されるとともに、
前記操作部の操作に基づいて枝管部より排水流路に向けて前進した際には端部が排水流路に向けて突出し、
後退した際には前記載置部を除く部分が前記枝管内に配置されることを特徴とする請求項１乃至請求項３のいずれか１つに記載の排水栓装置である。
【０００９】
請求項５に記載の本発明は、前記昇降部は、
前記操作部の操作に基づいて略水平方向に進退することを特徴とする請求項１乃至請求項４のいずれか１つに記載の排水栓装置である。
【００１０】
請求項６に記載の本発明は、前記昇降部は、
前記伝達部に対して回動可能に取り付けられており、
操作部の操作に基づいて回動可能であることを特徴とする請求項１乃至請求項５のいずれか１つに記載の排水栓装置である。
【発明の効果】
【００１１】
上記本発明によれば、昇降部が最も後退した状態において排水流路の内面を略平滑とすることが可能となることから、清掃性を向上させることが可能となる。
【図面の簡単な説明】
【００１２】
【図１】本発明の第一実施形態を示す断面図である。
【図２】図１より弁体が上昇した状態を示す断面図である。
【図３】（ａ）図１における昇降部近傍を示す拡大図（ｂ）図２における昇降部近傍を示す拡大図である。
【図４】本発明の第二実施形態を示す断面図である。
【図５】図４より弁体が上昇した状態を示す断面図である。
【図６】本発明の第三実施形態を示す断面図である。
【図７】図６より弁体が上昇した状態を示す断面図である。
【図８】本発明の第四実施形態を示す断面図である。
【図９】図８より弁体が上昇した状態を示す断面図である。
【図１０】本発明の第五実施形態を示す断面図である。
【図１１】図１０より弁体が上昇した状態を示す断面図である。
【発明を実施するための形態】
【００１３】
以下に、本発明の継ぎ手部材を、図面を参照しつつ説明する。尚、以下に記載する説明は実施形態の理解を容易にするものであって、これによって本発明が制限して理解されるものではない。又、発明の理解を容易にするため、図１乃至図３に示す第一実施形態の説明を行うにあたっては、図１に示す状態を基準として上下左右を説明する。
【００１４】
図１乃至図３に示す第一実施形態に係る本発明は槽体Ｂとしての洗面ボウルに取り付けられる排水栓装置であり、排水配管１、操作部８、伝達部１０、昇降部１２、弁体１５より構成されている。
【００１５】
槽体Ｂは上方が開放された箱状の洗面ボウルであって、図示しないキャビネット上に載置されている。又、槽体Ｂは底面及び側面に開口が形成されており、底面に形成された開口には排水配管１が取り付けられており、側面に形成された開口にはオーバーフロー排水栓（図示せず）が取り付けられている。又、槽体Ｂの縁部には操作部８が取り付けられている。
【００１６】
排水配管１は内部に排水流路を形成する配管であり、本実施形態においては排水栓２、下部配管５より構成されている。
排水栓２は中空且つ円筒状であって、円筒状の胴部外周には雄螺子が形成されているとともに、上端外周から外側に向けて鍔部３が形成されており、下端には下部配管５が取り付けられている。排水栓２は槽体Ｂの裏側に配置されたナットに螺合されており、鍔部３とナットがパッキンを介して槽体Ｂ底面の開口周縁を挟持することによって槽体Ｂに水密に取り付けられている。当該取り付け状態において、排水栓２内部の排水流路上端は排水口４として機能し、当該排水口４より槽体Ｂ内部に吐水された湯水や毛髪等が排出される。尚、排水栓１の内部に形成された排水流路は、中央近傍から下端にかけて漸次縮径している。
下部配管５は上端に取り付けられたナットによって排水栓２の下端に取り付けられており、側方には枝管部６とオーバーフロー流路７が形成されている。又、上流側端部の内径は排水栓２下端の内径よりも小径となっており、排水栓１から連続する排水流路を更に縮径するとともに、下部配管５の上端から連続する排水流路は枝管部６及びオーバーフロー流路７が形成されている高さ位置において偏芯している。枝管部６は図１において左方に延設された筒状部分であって、内部に伝達部１０及び昇降部１２の一部が配置されている。又、枝管部６はナットによってその端部が閉塞されている。又、下部配管５はその下端において、図示しない排水トラップと連結されている。オーバーフロー流路７は槽体Ｂの側面に形成されたオーバーフロー排水栓から連続する排水流路であり、当該オーバーフロー排水栓から流入した排水を下部配管５内の排水流路に合流させる。
上述の通り、排水配管１は排水栓２の中央近傍から下部配管５の上端近傍にかけて排水流路が縮径している。これにより、図２に示すように、後退時における昇降部１２は、端部を除いて上方が排水配管１によって覆われることで目隠しされている。
【００１７】
操作部８は使用者によって直接操作が加えられる棒状の把持部９を有し、当該把持部９は手動操作に伴う押し引きによって上下動を行うことが可能となっている。又、把持部９の下端は伝達部１０と接続されており、操作部８の変位を伝達部１０を介して弁体１５を昇降させる。
【００１８】
伝達部１０は樹脂製のチューブ体であるアウターチューブと、アウターチューブ内に配置された金属の撚り線であるインナーワイヤより成るレリースワイヤから構成され、操作部８の変位に伴いインナーワイヤがアウターチューブ内を摺動することによって操作部８へ加えられた操作を弁体１５側へと伝達する。又、伝達部１０は弁体１５側の端部において筒状部材１１が取り付けられている。筒状部材１１はその外径が枝管部６の内径と略同径を成し、外周にパッキンが取り付けられているとともに、端部には昇降部１２が取り付けられている。
【００１９】
昇降部１２は筒状部材１１の端部に取り付けられた断面視略三角形状の部材であって、操作部８の操作に応じて略水平方向に進退を行う。昇降部１２は排水流路の中心側の端部を頂部１４として、頂部１４から伝達部１０に向けて下向きに傾斜する傾斜部１３を備えている。言い換えると、傾斜部１３は排水流路の中心にむけて上向きに傾斜しており、当該傾斜部１３は昇降部１２の進退に伴い、弁体１５と当接摺動する。頂部１４は傾斜部１３の頂点であって、昇降部１２の端部且つ最も高い位置に形成されており、弁体１５が載置可能な水平部分を有している。
上記昇降部１２は、操作部８に対して押動操作が加えられた際には枝管部６と対向する排水流路の側面に向けて前進し、操作部８に対して引き上げ操作が加えられた際には、伝達部１０に向けて後退する。尚、本実施形態においては、昇降部１２は最も前進した場合、その端部が排水流路の中心まで到達するとともに、最も後退した場合、傾斜部１３の頂部１４のみが排水流路に露出する程度まで後退する。この時、頂部１４に弁体１５が載置され、上昇した弁体１５を支持する。
【００２０】
弁体１５は排水口４の開閉を行う弁蓋１６と、塵芥を補足する目皿１８から構成されている。尚、本実施形態において、弁蓋１６と目皿１８は別部材として構成されている。
弁蓋１６は平面視円形状であって、その外周にパッキンが嵌着された止水部材であり、排水栓装置の作動に伴い昇降する。又、弁蓋１６は下面中央より軸部１７が垂設されている。尚、弁蓋１６が下降状態にある時、上記パッキンは排水口４の周縁と当接することにより、槽体Ｂ内部に湯水を貯留可能とするとともに、弁蓋１６が上昇状態にある時には、槽体Ｂ内部の湯水や塵芥を、排水配管１を通じて下流側へと排出することが可能となる。軸部１７は後述する目皿１８中心に形成された軸受け２０に挿通されているとともに、下端に取り付けられた環状のパッキンが軸受け２０の内周に当接している。
目皿１８は網目状の捕集部１９を有するとともに、中央には軸受け２０が上下に開口されており、その下端には載置部２１を有している。軸受け２０は目皿１８を上下に貫通する開口であって、その内径は上記軸部１７と略同径である。載置部２１は排水配管１の外径と略同径の環状部であって、外周は排水配管１の内周面に沿って形成されているとともに、下端は昇降部１２の傾斜部１３と当接している。
【００２１】
上記各部材から成る排水栓装置の作用及び動作は以下の通りである。
【００２２】
図１に示すように、弁体１５が下降している状態において、弁蓋１６の周囲に嵌着されたパッキンは排水口４の周縁と当接しており、排水口４を閉塞している。この時、図３（ａ）に示すように、昇降部１２は枝管部６と対向する排水流路の側面に向けて前進し、端部が排水流路の中心まで達している状態であり、弁体１５の載置部２１は傾斜部１３の伝達部１０側に配置されている。尚、昇降部１２の傾斜部１３は頂部１４から伝達部１０側へ向かうほど低くなる勾配を有していることから、載置部２１は傾斜部１３の低い位置に配置されている。
上記弁体１５の下降状態より、使用者が把持部９を引き上げると、引き上げられた操作部８の変位を伝達部１０が昇降部１２へと伝え、昇降部１２が伝達部１０側へと後退する。この時、昇降部１２の後退に伴い、傾斜部１３が載置部２１に当接摺動する。そして、上述の通り傾斜部１３は頂部１４から伝達部１０側へ向かうほど低くなる勾配を有していることから、弁体１５は昇降部１２の後退に伴い、傾斜部１３の勾配に沿って上昇する。尚、把持部９が上端まで引き上げられると、載置部２１が昇降部１２に載置される。尚、昇降部１２が最も伝達部１０側に後退した時、図３（ｂ）に示すように、弁体１５は昇降部１２の先端且つ昇降部１２の最も高い位置である頂部１４上に載置され、弁体１５は上昇状態において支持される。
【００２３】
上記弁体１５が上昇した状態において、図２に示すように、弁蓋１６は排水栓２から離間し、排水口４を開放している。従って、使用者は槽体Ｂ内の湯水を排水口４より排出可能となる。そして、昇降部１２が最も伝達部１０側に後退した状態にある時、昇降部１２の大部分は枝管部６内に配置されており、排水流路内には頂部１４のみが１〜２ｍｍ程度露出している状態となる。従って、排水流路内には内部に突出する部材がほとんど存在しないため、湯水中の塵芥や毛髪が昇降部１２に引っ掛かり、堆積することは無い。又、排水流路の内面は略平滑となり、意匠性や装置の清掃性を向上させることが可能となる。
又、昇降部１２は枝管部６内を進退することから、昇降部１２の下方は枝管部６によって支持されている。従って、上昇した弁体１５に対して上方から応力が加えられたとしても、当該応力によって弁体１５が下降してしまうことはない。
【００２４】
一方、上記弁体１５の下降状態より、使用者が把持部９を押し下げると、押し下げられた操作部８の変位を伝達部１０が昇降部１２へと伝え、昇降部１２が排水流路の中心に向けて前進する。この時、昇降部１２の後退に伴い、傾斜部１３が載置部２１に当接摺動する。そして、弁体１５は昇降部１２の前進に伴い、傾斜部１３の勾配に沿って下降する。尚、把持部９が下端まで押し下げられると、弁体１５は傾斜部１３の低い位置に載置され、弁蓋１６に嵌着されたパッキンが排水口４の周縁と当接することにより、排水口４が閉塞される。
【００２５】
上記の通り、本発明においては、傾斜部１３が載置部２１に当接摺動することにより、昇降部１２の略水平方向の応力が弁体１５を略垂直方向に昇降させる応力へと変換される。
【００２６】
本発明の第一実施形態は以上であるが、本発明は上記第一実施形態の形状に限られるものではなく、本発明の主旨を逸脱しない範囲において種々の変更を加えても良いものである。尚、以下に記載する実施形態において、上記第一実施形態と同一の形状や機能を奏する部材については、特に断りの無い限り第一実施形態と同一の番号を付してその記載を省略する。尚、以下に記載する、第二実施形態乃至第五実施形態のいずれにおいても、弁体１５が上昇して最も高い位置に上昇した際には、昇降部１２が伝達部１０側に向けて後退し、排水流路内には頂部１４のみが露出している状態となる。
【００２７】
上記第一実施形態において、昇降部１２が傾斜部１３を有していたが、図４及び図５に示す第二実施形態のように、弁体１５が傾斜部１３を有していても良い。第二実施形態における弁体１５は、上記第一実施形態と同様に弁蓋１６と目皿１８から構成されており、目皿１８は軸受け２０と載置部２１を有している。載置部２１は排水配管１の外径と略同径であって、外周は排水配管１の内周面に沿って環状に形成されているとともに、当該載置部２１の下面は伝達部１０側に向けて下向きに傾斜しており、傾斜部１３を構成している。一方、昇降部１２は断面視略Ｌ字状を成し、端部且つ最も高い位置を頂部１４として構成している。当該第二実施形態の排水栓装置においては、昇降部１２が伝達部１０側に向けて後退すると、昇降部１２の頂部１４が傾斜部１３に当接摺動し、弁体１５が上昇する。
【００２８】
又、図６及び図７に示す第三実施形態のように、傾斜部１３が第一傾斜部２３と第二傾斜部２４から構成されており、昇降部１２が第一傾斜部２３を備えるとともに、弁体１５が第二傾斜部２４を備えていても良い。
【００２９】
又、昇降部１２は略水平方向に動作することによって弁体１５を昇降させるものに限られるものではなく、図８及び図９に示す第四実施形態のように、回転することによって弁体１５を昇降させても良い。
第四実施形態においては、枝管部６は内部に凸部２５を備えており、図９に示すように、排水流路側に前進している昇降部１２が操作部８の操作に伴い後退すると、昇降部１２が所定距離を略水平に移動した後に凸部２５に当接し、昇降部１２の端部である頂部１４が上下動するように回動する。本実施形態においては、傾斜部１３が載置部２１に当接摺動することにより、昇降部１２の回転応力が弁体１５を略垂直方向に昇降させる応力へと変換される。本実施形態においては、昇降部１２が回動することにより、弁体１５を昇降させるために必要なストローク幅を削減することができる。
【００３０】
又、上記各実施形態では、略水平に形成された枝管部６内を昇降部１２が動作することから、昇降部１２は略水平方向に進退するが、図１０及び図１１に示す第五実施形態のように、枝管部６は排水流路から端部に向けて上向きに傾斜しており、昇降部１２は斜め方向に進退しても良い。又、第五実施形態のように、昇降部１２が斜め方向に進退する場合等においては、傾斜部１３を設けなくとも良いものである。
【符号の説明】
【００３１】
１      排水配管
２      排水栓
３      鍔部
４      排水口
５      下部配管
６      枝管部
７      オーバーフロー流路
８      操作部
９      把持部
１０    伝達部
１１    筒状部材
１２    昇降部
１３    傾斜部
１４    頂部
１５    弁体
１６    弁蓋
１７    軸部
１８    目皿
１９    捕集部
２０    軸受け
２１    載置部
２３    第一傾斜部
２４    第二傾斜部
２５    凸部
Ｂ      槽体
【図１】
2019090267.tif 000003
【図２】
2019090267.tif 000004
【図３】
2019090267.tif 000005
【図４】
2019090267.tif 000006
【図５】
2019090267.tif 000007
【図６】
2019090267.tif 000008
【図７】
2019090267.tif 000009
【図８】
2019090267.tif 000010
【図９】
2019090267.tif 000011
【図１０】
2019090267.tif 000012
【図１１】
2019090267.tif 000013